(57)【要約】【課題】外力を受けても内側面板切断線で切断されるのを抑えた紙箱容器を提供する。【解決手段】開口１０ａを有する本体部１０と、開口を覆う蓋部５０とを備える紙箱容器１であって、本体部は、底板１１、底板において互いに平行となる一対の第一の底板側縁部１１ａの一方から立設する第一の内側面板１２、一対の第一の底板側縁部の他方から立設する側面板１３、および底板において第一の底板側縁部に交差する一対の第二の底板側縁部１１ｂのそれぞれから立設する第二の内側面板１４を有し、蓋部は、側面板に接続された天板５１、天板の縁部から立設する第一の外側面板５２、および、天板の縁部から立設する一対の第二の外側面板５４を有し、第二の内側面板に設定された切断領域Ｒ１の縁部に内側面板切断線４１が形成され、第二の外側面板は内側面板切断線の外方を覆うように配置されている。【選択図】図１
2014108826.tif 000002
【特許請求の範囲】
【請求項１】
開口を有する箱状に形成された本体部と、前記開口を覆う蓋部とを備え、前記本体部内に板状の収容物を複数積層させた状態で収容可能な紙箱容器であって、
前記本体部は、
矩形状に形成された底板、
前記底板において互いに平行となる一対の第一の底板側縁部の一方から第一の立設方向に立設する第一の内側面板、
一対の前記第一の底板側縁部の他方から前記第一の立設方向に立設する側面板、
および、前記底板において前記第一の底板側縁部に交差する一対の第二の底板側縁部のそれぞれから前記第一の立設方向に立設する第二の内側面板、
を有し、
前記蓋部は、
前記底板と略同一形状に形成され、前記側面板にヒンジ折目を介して接続された天板、
前記天板の縁部から前記第一の立設方向とは反対方向となる第二の立設方向に立設し前記第一の内側面板の外方に配置された第一の外側面板、
および、前記天板の縁部から前記第二の立設方向に立設し前記第二の内側面板の外方にそれぞれ配置された一対の第二の外側面板、
を有し、
前記第二の内側面板に設定された切断領域の縁部に内側面板切断線が形成され、
前記第二の外側面板は、前記内側面板切断線の外方を覆うように配置されていることを特徴とする紙箱容器。
【請求項２】
前記第二の外側面板には、一端が前記ヒンジ折目に接続され、他端が前記第二の外側面板における前記第二の立設方向側の縁部に接続され、前記第二の外側面板に直交するように見たときに前記切断領域より前記ヒンジ折目側に配置された外側面板切断線が形成され、
前記第二の外側面板は、前記第二の外側面板に直交するように見たときに、前記外側面板切断線よりも前記切断領域側を非貼り付け領域、前記切断領域とは反対側を貼り付け領域として前記第二の内側面板に貼り付けられていることを特徴とする請求項１に記載の紙箱容器。
【請求項３】
前記内側面板切断線は、前記第二の内側面板における前記第一の立設方向側の縁部に接続するように形成されていることを特徴とする請求項１または２に記載の紙箱容器。
【請求項４】
前記内側面板切断線は、前記第二の内側面板における前記第一の立設方向側の縁部に２カ所で接続し、
前記第二の内側面板の縁部に接続する前記内側面板切断線の前記第一の立設方向に直交する方向の間隔は、前記第一の立設方向に向かうにしたがって広くなるように形成されていることを特徴とする請求項３に記載の紙箱容器。
【請求項５】
一端が前記第一の内側面板に接続されるとともに、前記第一の内側面板の外方において他端が前記第二の立設方向に延びる舌部と、
前記第一の外側面板の内方の面に設けられ、前記舌部の他端に係止される被係止部と、
を有することを特徴とする請求項１から４のいずれか一項に記載の紙箱容器。
【請求項６】
前記第一の内側面板には、前記第一の立設方向に交差する方向に延びるスリットが形成され、
前記第一の外側面板には、前記第一の立設方向に延びるとともに前記スリットに挿通可能な挿通片が設けられていることを特徴とする請求項１から５のいずれか一項に記載の紙箱容器。
【請求項７】
前記内側面板切断線は、前記第二の内側面板を貫通することなく形成された切断用切り欠きにより構成され、
前記収容物は、冷蔵温度帯で保管される食品であることを特徴とする請求項１から６のいずれか一項に記載の紙箱容器。
【請求項８】
請求項１から７のいずれか一項に記載の紙箱容器に収容されたことを特徴とする乳製品。
【請求項９】
請求項１から７のいずれか一項に記載の紙箱容器に収容されたことを特徴とする油中水型乳化物。
【請求項１０】
請求項１から７のいずれか一項に記載の紙箱容器に収容されたことを特徴とする水中油型乳化物。
【発明の詳細な説明】
【技術分野】
【０００１】
本発明は、収容物を複数積層させて収容する紙箱容器、およびこの紙箱容器に収容された乳製品、油中水型乳化物、水中油型乳化物に関する。
【背景技術】
【０００２】
従来から、食品や電気製品などの製品を、段ボールや厚紙などで形成された紙箱容器に収容して保管、搬送などをすることが行われている。このように、製品を収容物として紙箱容器に収容することで、製品が傷つくのを防止したり、製品を衛生的に保ったりすることができる。
【０００３】
例えば、特許文献１に記載された紙箱容器は、段ボールなどで方形状に構成されたマスターカートン（本体部）と、マスターカートンの上面に設けられた複数のフラップ（蓋部）とを備えている。マスターカートンの側面およびフラップには、全体として上下に延びる長円状に形成されたミシン目（内側面板切断線）が設けられていて、ミシン目の上端には切り欠孔が設けられている。ミシン目は、マスターカートンにおける互いに反対側となる一対の側面にそれぞれ配置されている。
マスターカートン内には、ＡＶ機器などを梱包した個装カートン（収容物）が、縦積み状態で収納される。それぞれの個装カートンには、マスターカートン内に収納されたときのミシン目の内方となる位置に把手が設けられている。
【０００４】
このように構成された紙箱容器に収納された個装カートンは、以下のような手順で取り出される。
まず、切り欠孔に手指を掛けて、ミシン目に沿ってマスターカートンおよびフラップの一部を引き剥がす。マスターカートンの側面から個装カートンの把手が露出する。フラップを四方に開くことで、フラップに両腕を挿通できる孔が形成される。作業者は、フラップに形成された孔から両腕を挿通し、露出された個装カートンの把手に両手指を引掛けて、マスターカートンに対して個装カートンを上方に引き出す。
このように、マスターカートンの側面に孔を形成することで、縦積みされた個装カートンを容易に取り出すことができるという。
【０００５】
また、このような紙箱容器では、開閉が容易となるように、複数のフラップに替えて、本体部に回動可能に接続された１つの蓋部が用いられる場合がある。
【先行技術文献】
【特許文献】
【０００６】
【特許文献１】実開平７−２６３２０号公報
【発明の概要】
【発明が解決しようとする課題】
【０００７】
しかしながら、本体部に蓋部が回動可能に接続された紙箱容器であっても、収容物取り出し用の孔を形成するためミシン目が本体部に形成されていると、紙箱容器が外力を受けたときに、マスターカートンがミシン目で切断され、紙箱容器の強度が低下してしまう恐れがある。
【０００８】
本発明は、このような問題点に鑑みてなされたものであって、外力を受けた場合であっても、本体部が内側面板切断線で切断されるのを抑えた紙箱容器、およびこの紙箱容器に収容された乳製品、油中水型乳化物、水中油型乳化物を提供することを目的とする。
【課題を解決するための手段】
【０００９】
上記課題を解決するために、この発明は以下の手段を提案している。
本発明の紙箱容器は、開口を有する箱状に形成された本体部と、前記開口を覆う蓋部とを備え、前記本体部内に板状の収容物を複数積層させた状態で収容可能な紙箱容器であって、前記本体部は、矩形状に形成された底板、前記底板において互いに平行となる一対の第一の底板側縁部の一方から第一の立設方向に立設する第一の内側面板、一対の前記第一の底板側縁部の他方から前記第一の立設方向に立設する側面板、および、前記底板において前記第一の底板側縁部に交差する一対の第二の底板側縁部のそれぞれから前記第一の立設方向に立設する第二の内側面板、を有し、前記蓋部は、前記底板と略同一形状に形成され、前記側面板にヒンジ折目を介して接続された天板、前記天板の縁部から前記第一の立設方向とは反対方向となる第二の立設方向に立設し前記第一の内側面板の外方に配置された第一の外側面板、および、前記天板の縁部から前記第二の立設方向に立設し前記第二の内側面板の外方にそれぞれ配置された一対の第二の外側面板、を有し、前記第二の内側面板に設定された切断領域の縁部に内側面板切断線が形成され、前記第二の外側面板は、前記内側面板切断線の外方を覆うように配置されていることを特徴としている。
【００１０】
この発明によれば、本体部に対して蓋部を開けた状態にしておく。そして、第二の内側面板を内側面板切断線で切断し、例えば、第二の内側面板から切断領域を取り除く。切断領域を取り除くことで第二の内側面板に形成された切り欠きや孔などを通して、本体部内に指を挿入し、積層させた収容物のうちの所望の数を、開口を通して外方に移動させる。したがって、たとえ、本体部と収容物との隙間が小さい場合であっても、本体部内から収容物を容易に取り出すことができる。
また、内側面板切断線は、外力を受けることで切断されやすくなっている。しかし、本体部に対して蓋部を閉めた状態では、内側面板切断線の外方は第二の外側面板に覆われているため、内側面板切断線が外力などにより不用意に切断されてしまうのを抑えることができる。
【００１１】
また、上記の紙箱容器において、前記第二の外側面板には、一端が前記ヒンジ折目に接続され、他端が前記第二の外側面板における前記第二の立設方向側の縁部に接続され、前記第二の外側面板に直交するように見たときに前記切断領域より前記ヒンジ折目側に配置された外側面板切断線が形成され、前記第二の外側面板は、前記第二の外側面板に直交するように見たときに、前記外側面板切断線よりも前記切断領域側を非貼り付け領域、前記切断領域とは反対側を貼り付け領域として前記第二の内側面板に貼り付けられていることがより好ましい。
この発明によれば、開封前は貼り付け領域が第二の内側面板に貼り付けられているため、第二の内側面板と第二の外側面板との間に異物が入り込みにくく、この異物により内側面板切断線が破断されにくくなる。
また、本体部に対して蓋部を初めて開けるときに、貼り付け領域が第二の内側面板に貼り付けられた状態で外側面板切断線が切断され、第二の外側面板が貼り付け領域と非貼り付け領域とに分離される。
第二の内側面板を内側面板切断線で切断すると、第二の内側面板の強度が低下する。しかし、第二の内側面板における切り欠きや孔などの近傍に貼り付け領域が貼り付けられているため、第二の内側面板の強度が低下するのを抑えることができる。
【００１２】
また、上記の紙箱容器において、前記内側面板切断線は、前記第二の内側面板における前記第一の立設方向側の縁部に接続するように形成されていることがより好ましい。
この発明によれば、内側面板切断線で切断して第二の内側面板に形成される切り欠きが開口に連通するため、収容物を開口を通して外方に移動させやすくすることができる。
【００１３】
また、上記の紙箱容器において、前記内側面板切断線は、前記第二の内側面板における前記第一の立設方向側の縁部に２カ所で接続し、前記第二の内側面板の縁部に接続する前記内側面板切断線の前記第一の立設方向に直交する方向の間隔は、前記第一の立設方向に向かうにしたがって広くなるように形成されていることがより好ましい。
この発明によれば、切り欠きは開口側の幅が広くなるため、使用者の指を開口側から切り欠きに挿入しやすくなる。また、第二の内側面板の第一の立設方向側の縁部と切り欠きの縁部との交差部分に形成される角部の先端角度が大きくなるため、この角部によって指が傷つくのを防止することができる。
【００１４】
また、上記の紙箱容器において、一端が前記第一の内側面板に接続されるとともに、前記第一の内側面板の外方において他端が前記第二の立設方向に延びる舌部と、前記第一の外側面板の内方の面に設けられ、前記舌部の他端に係止される被係止部と、を有することがより好ましい。
この発明によれば、本体部に対して蓋部を閉めた状態では、本体部の舌部に蓋部の被係止部が係止されるため、蓋部が不用意に開くのが防止される。
【００１５】
また、上記の紙箱容器において、前記第一の内側面板には、前記第一の立設方向に交差する方向に延びるスリットが形成され、前記第一の外側面板には、前記第一の立設方向に延びるとともに前記スリットに挿通可能な挿通片が設けられていることがより好ましい。
この発明によれば、本体部に対して蓋部を閉めた状態でスリットに挿通片を挿通させると、蓋部を開けるときに挿通片の基端に配された第一の外側面板がスリットの縁部に係止される。
したがって、本体部に対して蓋部が開くのを防止することができる。
【００１６】
また、上記の紙箱容器において、前記内側面板切断線は、前記第二の内側面板を貫通することなく形成された切断用切り欠きにより構成され、前記収容物は、冷蔵温度帯で保管される食品であることがより好ましい。
冷蔵温度帯で保管される食品を収容する紙箱容器は、内部が結露したり、食品が溶け出したりする恐れがある。この場合であっても、内側面板切断線を上述のように構成することで、結露により生じた水滴や溶け出した食品が、内側面板切断線を通して本体部の外方に漏れるのを防止することができる。
【００１７】
また、本発明の紙箱容器は、上記のいずれかに記載の紙箱容器に収容されたことを特徴としている。
また、本発明の油中水型乳化物は、上記のいずれかに記載の紙箱容器に収容されたことを特徴としている。
また、本発明の水中油型乳化物は、上記のいずれかに記載の紙箱容器に収容されたことを特徴としている。
【発明の効果】
【００１８】
本発明の紙箱容器によれば、外力を受けた場合であっても本体部が内側面板切断線で切断されるのを抑えることができる。
【図面の簡単な説明】
【００１９】
【図１】本発明の一実施形態の紙箱容器において蓋部を閉めた状態の一部を破断した斜視図である。
【図２】図１中の切断線Ａ−Ａの断面図である。
【図３】図１中の切断線Ｂ−Ｂの断面図である。
【図４】同紙箱容器を形成するためのブランクシートの平明図である。
【図５】同紙箱容器において蓋部を開けた状態の斜視図である。
【図６】同紙箱容器の使用方法を説明する図である。
【図７】本発明の実施形態の変形例における紙箱容器の要部の斜視図である。
【図８】本発明の実施形態の変形例における紙箱容器の要部の斜視図である。
【図９】本発明の実施形態の変形例における紙箱容器の要部の斜視図である。
【図１０】本発明の実施形態の変形例における紙箱容器の要部の断面図である。
【発明を実施するための形態】
【００２０】
（第１実施形態）
以下、本発明に係る紙箱容器の一実施形態を、図１から図１０を参照しながら説明する。以下では、紙箱容器の収容物が板状に形成されたバターであり、紙箱容器中に、包装紙で包まれた包装済みバターが３枚積層させた状態で収容されている場合を例にとって説明する。なお、バターは、冷蔵温度帯で保管される食品であり、本明細書において、冷蔵温度帯とは、０℃以上＋５℃以下の温度帯のことを意味する。
図１に示すように、本紙箱容器１は、開口１０ａを有する箱状に形成された本体部１０と、開口１０ａを覆う蓋部５０とを備えている。
なお、図１では、説明の便宜のため包装済みバターは示していない。
【００２１】
紙箱容器１は、基材紙の表面に樹脂やニスなどの層などを設けることで油脂の浸透を防止した耐油紙を材料として形成されている。基材紙としては、未晒クラフト紙、晒クラフト紙、白板紙などの各種の板紙を用いることができるが、パルプとしては、古紙パルプを含まない晒クラフトパルプを使用することが好ましい。
紙箱容器１は、所定の弾性を有する材料で形成されている。ここで言う所定の弾性とは、後述する第一の内側面板１２の内側面側スリット２１近傍や、舌部２４が弾性変形する程度の弾性のことを意味する。
【００２２】
本体部１０は、矩形状に形成された底板１１と、底板１１の縁部から向き（第一の立設方向）Ｚ１に立設する第一の内側面板１２、側面板１３、および一対の第二の内側面板１４とを有している。
底板１１は、互いに平行となる一対の第一の底板側縁部１１ａ、および、第一の底板側縁部１１ａに直交する一対の第二の底板側縁部１１ｂを有している。この例では、第一の底板側縁部１１ａは、第二の底板側縁部１１ｂより長く設定されている。
第一の内側面板１２は、一対の第一の底板側縁部１１ａのうちの一方の第一の底板側縁部１１ａから立設し、側面板１３は他方の第一の底板側縁部１１ａから立設している。
また、一対の第二の内側面板１４は、それぞれの第二の底板側縁部１１ｂから立設している。
第一の内側面板１２、側面板１３、および一対の第二の内側面板１４が立設する高さは、互いに等しく設定されている。
【００２３】
図１および図２に示すように、第一の内側面板１２における、底板１１の長手方向Ｘの中央部であって向きＺ１の中央部には、長手方向Ｘに延びる内側面側スリット（スリット）２１が形成されている。なお、図２は、第一の内側面板１２の内側面側スリット２１に、後述する挿通片２７が挿通された状態を示している。
第一の内側面板１２と底板１１との接続部における長手方向Ｘの中央部には、本体部１０の内方に向けて凹んだ窪み２２が形成されている。
第一の内側面板１２の向きＺ１側の縁部における長手方向Ｘのそれぞれの端には、縁部が円弧状に形成された丸隅部２３が設けられている（一方の丸隅部２３については、図５参照。）。
図１および図３に示すように、第一の内側面板１２の向きＺ１側の縁部において、それぞれの丸隅部２３に隣接する部分には、舌部２４が設けられている。舌部２４は、第一の内側面板１２の外方に配置されている。
【００２４】
舌部２４は、図３に示すように、一端２４ａが第一の内側面板１２の縁部に接続されるとともに、他端２４ｂが向きＺ１とは反対の向き（第二の立設方向）Ｚ２に延びている。
舌部２４の他端２４ｂは、舌部２４の一端２４ａ側が第一の内側面板１２に接続されていることで、重量以外の外力が作用しない自然状態で第一の内側面板１２から離間した位置に保持されている。これにより、舌部２４の外方の面は、向きＺ２に向かうほど第一の内側面板１２から離間する、第一の内側面板１２に対する傾斜面となっている。
【００２５】
それぞれの第二の内側面板１４には、図１に示すように、第二の内側面板１４における向きＺ１側の縁部に接続する切断領域Ｒ１が設定されている。この例では、切断領域Ｒ１は、向きＺ１に平行な軸線に対して対称となるとともに向きＺ１に向かうにしたがって幅が広くなる略台形状に形成されている。切断領域Ｒ１の縁部のうち、第二の内側面板１４の縁部に重ならない部分全体には、内側面板切断線４１が形成されている。内側面板切断線４１は、第二の内側面板１４における向きＺ１側の縁部に、端部４１ａ、４１ｂの２カ所で接続されている。内側面板切断線４１の端部４１ａと端部４１ｂとの短手方向Ｙの間隔は、向きＺ１に向かうにしたがって広くなるように形成されている。この例では、内側面板切断線４１は、第二の内側面板１４を点線状に貫通する孔で構成された、いわゆるミシン目が用いられている。
このため、後述するように、切断領域Ｒ１を取り除いて切り欠き４５を形成した後で、第二の内側面板１４の向きＺ１側の縁部と内側面板切断線４１との交差部に形成される角部４２（図１参照。）の先端角度は９０度より大きくなる。
第二の内側面板１４の向きＺ１側の縁部であって、第一の内側面板１２側の端には、縁部が円弧状に形成された丸隅部４３がそれぞれ設けられている。
【００２６】
第一の内側面板１２と第二の内側面板１４とは、第二の内側面板１４に連設されたフラップ板４４を第一の内側面板１２の内方の面に貼り付けることで接続されている。
また、側面板１３と第二の内側面板１４とは、側面板１３に連設されたフラップ板３１を第二の内側面板１４の内方の面に貼り付けることで接続されている。フラップ板３１の形状は、切断領域Ｒ１に重ならないように設定されている。
【００２７】
蓋部５０は、底板１１と同一形状に形成された天板５１と、天板５１の縁部から向きＺ２に立設する第一の外側面板５２、および一対の第二の外側面板５４とを有している（一方の第二の外側面板５４については、図５参照。）。
天板５１は、ヒンジ折目１６を介して側面板１３に接続されている。ヒンジ折目１６の厚さは、側面板１３や天板５１より薄く設定されていて、ヒンジ折目１６を中心軸として側面板１３に対して天板５１を容易に回動させることができる。
【００２８】
第一の外側面板５２は、第一の内側面板１２の外方に、内側面側スリット２１および舌部２４を覆うように配置されている。
図２に示すように、第一の外側面板５２の向きＺ２側の縁部は、向きＺ２において、窪み２２に達するまで延びている。
図１および図２に示すように、第一の外側面板５２における、長手方向Ｘの中央部であって向きＺ１の中央部には、向きＺ１に凸となるように湾曲した外側面側スリット２６が形成されている。外側面側スリット２６の向きＺ２側の縁部が、向きＺ１に延びるように形成された挿通片２７となっている。挿通片２７は、図２に示すように、向きＺ１側の先端部を第一の内側面板１２側に曲げることで、第一の内側面板１２の内側面側スリット２１に挿通することができる。
図１に示すように、第一の外側面板５２には、外側面側スリット２６を長手方向Ｘに挟むように、向きＺ２側の縁部に接続された第一の貼り付け領域Ｒ３が設定されている（一方の第一の貼り付け領域Ｒ３については、図５参照。）。第一の貼り付け領域Ｒ３の縁部における第一の外側面板５２の縁部に重ならない部分全体には、第一の開封用切断線２８が形成されている。
第一の外側面板５２は、第一の貼り付け領域Ｒ３が第一の内側面板１２に貼り付けられている。
【００２９】
第二の外側面板５４は、第二の内側面板１４の外方に、内側面板切断線４１を覆うように配置されている。第二の外側面板５４には、第二の開封用切断線（外側面板切断線）４６が形成されている。
第二の開封用切断線４６は、一端４６ａがヒンジ折目１６に接続されるとともに、他端４６ｂが第二の外側面板５４における向きＺ２側の縁部に接続されている。第二の開封用切断線４６は、長手方向Ｘに見たときに、切断領域Ｒ１よりヒンジ折目１６側に配置されている。
第二の外側面板５４は、長手方向Ｘに見たときに、第二の開封用切断線４６よりも切断領域Ｒ１側を第二の非貼り付け領域（非貼り付け領域）Ｒ６、切断領域Ｒ１とは反対側を第二の貼り付け領域（貼り付け領域）Ｒ５として、第二の内側面板１４に第二の貼り付け領域Ｒ５のみを貼り付けられている。
【００３０】
第一の開封用切断線２８および第二の開封用切断線４６は、使用者が蓋部５０を開けるときに容易に切断できるように、それぞれの強度が設定されている。
【００３１】
第一の外側面板５２と第二の外側面板５４とは、第二の外側面板５４に連設されたフラップ板４７を第一の外側面板５２の内方の面に貼り付けることで接続されている。
図１および図３に示すように、フラップ板４７における向きＺ１側の端部には、切り欠き（被係止部）４７ａが形成されている。舌部２４の他端２４ｂに対して切り欠き４７ａが向きＺ１側に係止されることで、舌部２４に対してフラップ板４７が向きＺ１側に移動するのが規制されている。また、舌部２４の弾性力により、第一の外側面板５２の内方の面に舌部２４の他端２４ｂが当接している。
【００３２】
以上のように構成された紙箱容器１を組み立てて形成するための、ブランクシートの形状について、図４を用いて説明する。ブランクシート１Ａは、底板１１を基準に展開したもので説明する。
ブランクシート１Ａは、第一の内側面板１２、底板１１、側面板１３、天板５１、および第一の外側面板５２が、短手方向Ｙにこの順で、互いの間に折目６１を介して連設されている。
第一の内側面板１２における底板１１とは反対側には、折目６２を介して一対の舌部２４が連接されている。
底板１１に対する長手方向Ｘ側には、折目６３を介して第二の内側面板１４がそれぞれ連接されている。
第二の内側面板１４に対する短手方向Ｙ側には、第一の内側面板１２と並ぶように、折目６４を介して第二の内側面板１４がそれぞれ連接されている。
側面板１３に対する長手方向Ｘ側には、折目６５を介してフラップ板３１がそれぞれ連接されている。
天板５１に対する長手方向Ｘ側には、折目６６を介して第二の外側面板５４がそれぞれ連接されている。
そして、第二の外側面板５４に対する短手方向Ｙ側には、第一の外側面板５２と並ぶように、折目６７を介してフラップ板４７がそれぞれ連接されている。
【００３３】
以上のように構成されたブランクシート１Ａは、折目６１〜６７を折り曲げるとともに、上述したようにフラップ板３１、４４、４７を貼り付けることで、図１に示す紙箱容器１が組み立てられる。紙箱容器１は、図５に示すように、本体部１０内に３枚の包装済みバターＷを積層させた状態で収容することができる。
なお、包装済みバターＷにおいて、不図示のバターを包む包装紙Ｗ１は、折り合わせ目が開口１０ａ側となるように本体部１０内に収容されている。これにより、蓋部５０が上方に位置するように紙箱容器１を保管することで、たとえバターが溶けた場合であっても、溶けたバターが包装紙Ｗ１から流れ出すのを抑えることができる。
【００３４】
次に、以上のように構成された紙箱容器１の使用方法について説明する。
使用者は、図１に示す購入した状態の紙箱容器１において、第一の外側面板５２の向きＺ２側の縁部に指を掛け、第一の内側面板１２から第一の外側面板５２を離間させるように引っ張りつつ、蓋部５０を本体部１０から離間するようにヒンジ折目１６回りに回動させる（蓋部５０を開ける。）。
本体部１０には窪み２２が形成されているため、第一の外側面板５２の向きＺ２側の縁部が第一の内側面板１２から離間している。これにより、第一の外側面板５２の向きＺ２側の縁部に使用者が指を容易に掛けることができる。
第一の開封用切断線２８および第二の開封用切断線４６が切断されるとともに、舌部２４とフラップ板４７との係止が解除されると、図５に示すように、本体部１０に対して蓋部５０が開く。
蓋部５０が開いた状態を保持しつつ、第二の内側面板１４に設定された切断領域Ｒ１を指で摘まんで、図６に示すように内側面板切断線４１を切断することで切断領域Ｒ１を除去し、第二の内側面板１４に切り欠き４５を形成する。
【００３５】
切り欠き４５に指Ｆを挿入し、１枚の包装済みバターＷを向きＺ１に移動させ、開口１０ａを通して外方に移動させる。
紙箱容器１から１枚の包装済みバターＷを取り出したら、蓋部５０をヒンジ折目１６にて本体部１０側に回動させる（蓋部５０を閉める。）。
第一の内側面板１２には丸隅部２３が、第二の内側面板１４には丸隅部４３がそれぞれ設けられているため、蓋部５０を回動させるときに、蓋部５０が内側面板１２、１４に係止されるのが防止される。同様に、舌部２４の外方の面は前述のような傾斜面となっているため、舌部２４の外方の面に当接したフラップ板４７は、第一の内側面板１２に天板５１が近づくにしたがって舌部２４の外方の面に沿うように案内され、フラップ板４７が舌部２４の外方の面に係止されるのが防止される。
本体部１０の舌部２４を蓋部５０のフラップ板４７が乗り越えると、舌部２４の他端２４ｂは舌部２４の弾性力により第一の内側面板１２から離間するように変形し、第一の外側面板５２の内方の面に舌部２４の他端２４ｂが当接する。これにより、舌部２４の他端２４ｂにフラップ板４７の切り欠き４７ａが確実に係止される。
【００３６】
本体部１０内に収容されている包装済みバターＷが重い場合など、必要に応じて、第一の内側面板１２の内側面側スリット２１に挿通片２７を挿通させる。これにより、蓋部５０が開くのがより確実に規制され、使用者が蓋部５０のみを把持して紙箱容器１を移動させても、蓋部５０が開いてしまうことがなくなる。
包装済みバターＷを取り出したら、当面使用しない包装済みバターＷが収容された紙箱容器１は、冷蔵庫などの冷蔵温度帯に保たれた場所に保管しておく。使用しないバターの温度が上昇して、バターの品質が低下するのを防止することができる
【００３７】
取り出した包装済みバターＷを使い終えたら、内側面側スリット２１から挿通片２７を取り外し、上記の手順と同様に、蓋部５０を開けて本体部１０内から収容されている包装済みバターＷを取り出すことを繰り返す。
【００３８】
以上説明したように、本実施形態の紙箱容器１によれば、蓋部５０を開けた状態で、第二の内側面板１４を内側面板切断線４１で切断し、第二の内側面板１４から切断領域Ｒ１を取り除いて切り欠き４５を形成する。切り欠き４５を通して本体部１０内に指Ｆを挿入し、積層させた包装済みバターＷのうちの所望の数を、開口１０ａを通して外方に移動させる。したがって、たとえ、本体部１０と包装済みバターＷとの隙間が小さい場合であっても、本体部１０内から包装済みバターＷを容易に取り出すことができる。
また、内側面板切断線４１は、外力を受けることで切断されやすくなっている。しかし、蓋部５０を閉めた状態では、内側面板切断線４１の外方は第二の外側面板５４に覆われているため、内側面板切断線４１が外力などにより不用意に切断されてしまうのを抑えることができる。
【００３９】
第二の外側面板５４には第二の開封用切断線４６が形成され、第二の外側面板５４は、第二の貼り付け領域Ｒ５のみが第二の内側面板１４に貼り付けられている。
開封前は第二の貼り付け領域Ｒ５が第二の内側面板１４に貼り付けられているため、第二の内側面板１４と第二の外側面板５４との間に異物が入り込みにくく、この異物により内側面板切断線４１が破断されにくくなる。
また、蓋部５０を初めて開けるときに、第二の貼り付け領域Ｒ５が第二の内側面板１４に貼り付けられた状態で第二の開封用切断線４６が切断され、第二の外側面板５４が第二の貼り付け領域Ｒ５と第二の非貼り付け領域Ｒ６とに分離される。
第二の内側面板１４を内側面板切断線４１で切断して切り欠き４５を形成すると、第二の内側面板１４の強度が低下する。しかし、第二の内側面板１４における切り欠き４５の近傍に第二の貼り付け領域Ｒ５が貼り付けられているため、第二の内側面板１４の強度が低下するのを抑えることができる。
なお、本発明では、第二の内側面板１４の内方の面における第二の貼り付け領域Ｒ５とは反対側となる位置にフラップ板３１が貼り付けられているため、この部分では、前述の耐油紙を３枚重ねた構成となっている。これにより、切り欠き４５の近傍の強度が低下するのをより確実に抑えることができる。
【００４０】
内側面板切断線４１は、第二の内側面板１４における向きＺ１側の縁部に接続するように形成されている。したがって、内側面板切断線４１で切断して第二の内側面板１４に形成される切り欠き４５が開口１０ａに連通するため、包装済みバターＷを開口１０ａを通して外方に移動させやすくすることができる。
また、内側面板切断線４１の端部４１ａと端部４１ｂとの間隔は、向きＺ１に向かうにしたがって広くなるように形成されている。切り欠き４５は開口１０ａ側の幅が広くなるため、使用者の指Ｆを開口１０ａ側から切り欠き４５に挿入しやすくなる。また、第二の内側面板１４の角部４２の先端角度は９０度より大きくなるため、この角部４２によって指Ｆが傷つくのを防止することができる。
【００４１】
紙箱容器１は、舌部２４とフラップ板４７とを有している。蓋部５０を閉めた状態では、舌部２４の他端２４ｂにフラップ板４７の切り欠き４７ａが係止されるため、蓋部５０が不用意に開くのが防止される。
第一の内側面板１２には内側面側スリット２１が形成され、第一の外側面板５２には挿通片２７が設けられている。蓋部５０を閉めた状態で内側面側スリット２１に挿通片２７を挿通させると、蓋部５０を開けるときに挿通片２７の基端に配された第一の外側面板５２が内側面側スリット２１の縁部に係止される。したがって、蓋部５０が開くのを防止することができる。
【００４２】
紙箱容器１は、それぞれの第二の内側面板１４に内側面板切断線４１が形成されている。これにより、使用者の利き腕や使い勝手に応じて、所望の側に切り欠き４５を形成することができ、紙箱容器１のユニバーサルデザイン化を図ることができる。
【００４３】
本発明の切断領域Ｒ１および内側面板切断線４１は、以下に説明するようにそれらの構成を様々に変形させることができる。
例えば、図７に示すように、第二の内側面板１４に、矩形状に形成されるとともに、第二の内側面板１４における向きＺ１側の縁部に接続する切断領域Ｒ１１を設定してもよい。内側面板切断線７１は、切断領域Ｒ１１の短手方向Ｙの縁部のみにそれぞれ形成されている。すなわち、切断領域Ｒ１１の縁部のうち、第二の内側面板１４の縁部とは重ならない部分の一部に、内側面板切断線７１が形成されている。図示はしていないが、内側面板切断線７１を覆うように第二の外側面板が配置されている。
また、この変形例では、底板１１に矩形状の底板切断領域Ｒ１２が設定されている。底板側切断領域Ｒ１２の、短手方向Ｙのそれぞれの縁部に底板切断線７２が形成され、それぞれの底板切断線７２の中央部を接続するように底板補助切断線７３が形成されている。
【００４４】
内側面板切断線７１を切断して切断領域Ｒ１１の向きＺ２側の縁部を軸として、切断領域Ｒ１１を外方の位置Ｐ１まで折り曲げることで、第二の内側面板１４に切り欠き７４を形成することができる。そして、切り欠き７４を通して本体部１０内に指Ｆを挿入し、積層させた包装済みバターＷを開口１０ａを通して外方に移動させることができる。
このとき、切断領域Ｒ１１は第二の内側面板１４に接続されたままなので、切り欠き７４を形成する際に、第二の内側面板１４から分離されたゴミが生じるのを防止することができる。
一方で、底板切断線７２および底板補助切断線７３を切断し、底板切断領域Ｒ１２を本体部１０の内方に起こすことで、本体部１０内に収容された包装済みバターＷを向きＺ１側に移動させることができる。
【００４５】
図８に示す切断領域Ｒ１３は、矩形状に形成されるとともに、第二の内側面板１４における向きＺ１側の縁部に接続するとともに、底板１１に接続するように設定されている。
切断領域Ｒ１３の縁部のうち、短手方向Ｙの一方側の部分には内側面板切断線７７が、底板１１との接続部分には内側面板切断線７８がそれぞれ形成されている。
内側面板切断線７７、７８を切断して、切断領域Ｒ１３の縁部のうち短手方向Ｙの他方側の部分を軸として、切断領域Ｒ１３を外方の位置Ｐ２まで折り曲げることで、第二の内側面板１４に切り欠き７９を形成することができる。
【００４６】
図９に示す切断領域Ｒ１５は第二の内側面板１４に設定され、底板切断領域Ｒ１６は底板１１に設定されている。切断領域Ｒ１５および底板切断領域Ｒ１６は、第二の内側面板１４と底板１１との接続部における中央部の近傍にそれぞれ設定されるとともに、互いに連設されている。
切断領域Ｒ１５の縁部のうち、短手方向Ｙの部分には内側面板切断線８２がそれぞれ形成されている。底板切断領域Ｒ１６の縁部のうち、短手方向Ｙの部分、および切断領域Ｒ１５から離間した部分には底板切断線８３がそれぞれ形成されている。
底板切断領域Ｒ１６に掛けた指Ｆを向きＺ１に移動させることで、内側面板切断線８２および底板切断線８３を切断して、切断領域Ｒ１５の向きＺ１側の縁部を軸として切断領域Ｒ１５および底板切断領域Ｒ１６を位置Ｐ３まで折り曲げる。これにより、第二の内側面板１４および底板１１に孔８４を形成することができる。孔８４を通して本体部１０内に指Ｆを挿入し、積層させた包装済みバターＷを開口１０ａを通して外方に移動させることができる。
なお、この変形例では、孔８４を形成し包装済みバターＷを外方に移動させる工程を、指を向きＺ１に移動させる一連の動作で行うことができる。
【００４７】
以上、本発明の一実施形態について図面を参照して詳述したが、具体的な構成はこの実施形態に限られるものではなく、本発明の要旨を逸脱しない範囲の構成の変更なども含まれる。
たとえば、前記実施形態では、内側面板切断線としてミシン目を用いた。しかし、内側面板切断線の構成はこの限りでなく、例えば、図１０に示す内側面板切断線８７のように、第二の内側面板１４を厚さ方向に貫通することなく形成された切断用切り欠き８７ａ、８７ｂにより構成してもよい。
切断用切り欠き８７ａは第二の内側面板１４の一方の面に、切断用切り欠き８７ｂは第二の内側面板１４の他方の面にそれぞれ形成されている。切断用切り欠き８７ａ、８７ｂは、互いに連通することなく、第二の内側面板１４を挟んで隣接する位置にほぼ平行に配置されている。
【００４８】
冷蔵温度帯で保管されるバターを収容する紙箱容器は、内部が結露したり、バターが溶け出したりする恐れがある。この場合であっても、内側面板切断線８７を上述のように構成することで、結露により生じた水滴や溶け出したバターが、内側面板切断線８７を通して本体部１０の外方に漏れるのを防止することができる。
なお、この変形例においては、内側面板切断線８７に切断用切り欠き８７ａ、８７ｂの一方のみが備えられるように構成してもよい。
【００４９】
本実施形態では、包装済みバターＷの重さが比較的軽い場合には、舌部２４およびフラップ板４７、内側面側スリット２１および挿通片２７の一方は紙箱容器１に備えられなくてもよい。
本実施形態では、それぞれの第二の内側面板１４に内側面板切断線４１を形成したが、内側面板切断線４１を一方の第二の内側面板１４のみに形成してもよい。
本実施形態では収容物はバターであるとしたが、これに限られない。収容物は、他の食品や、医薬品などでもよい。収容物が食品の場合、固形状、ゲル状、ゼリー状の食品が好適であり、具体的には、乳製品、油中水型乳化物、水中油型乳化物が好ましい。さらに具体的には、乳製品として、冷凍状態にあるアイスクリーム類、冷蔵状態にあるプリンなどが挙げられる。油中水型乳化物として、マーガリンやスプレッド類、バター、チョコレート類が挙げられる。水中油型乳化物として、プロセスチーズやナチュラルチーズ等のチーズ類などが挙げられる。
【００５０】
また、本発明の紙箱容器入り乳製品、油中水型乳化物、水中油型乳化物は、上記のいずれかに記載された２枚以上５枚以下の乳製品、油中水型乳化物、水中油型乳化物と、開口を有する箱状に形成された本体部、および、前記開口を覆う蓋部を有する紙箱容器と、を備え、複数の前記バターは、厚さ方向に積層された状態で、前記本体部の底面から前記開口に向かう方向に重なるように前記本体部に収容されていることが望ましい。この発明によれば、乳製品、油中水型乳化物、水中油型乳化物の枚数を５枚以下とすることで、乳製品、油中水型乳化物、水中油型乳化物を小型にして収容枚数が増えて、容器入り乳製品、油中水型乳化物、水中油型乳化物の製造コストが増加するのを抑制することができる。さらに、２枚以上の乳製品、油中水型乳化物、水中油型乳化物を紙箱容器に収容することで、直ちに使う分と、直ちに使わずに容器に保存しておく分とに、複数個に積層された（小分けされた）乳製品、油中水型乳化物、水中油型乳化物を分けて使うことができる。
【００５１】
また、上記の紙箱容器入り乳製品、油中水型乳化物、水中油型乳化物において、それぞれの前記乳製品、油中水型乳化物、水中油型乳化物は、包装紙を折ることで包まれるとともに、前記包装紙の縁部を折り合わせた合わせ部が前記本体部の前記底面に対する前記開口側となるように前記本体部に収容されていることがより好ましい。
一般的に、紙箱容器入り乳製品、油中水型乳化物、水中油型乳化物は本体部に対して蓋部が上方となるように保存される。乳製品、油中水型乳化物、水中油型乳化物が溶けてしまったときであっても、乳製品、油中水型乳化物、水中油型乳化物は包装紙に合わせ部を上方となるように包まれて保存されているため、乳製品、油中水型乳化物、水中油型乳化物が包装紙の合わせ部から外部に流れ出るのを抑えることができる。
【００５２】
また、従来の乳製品、油中水型乳化物、水中油型乳化物では、開口部が横方向に設置されている紙箱容器に収納されていることが多かった。この場合、使用するたびに、紙箱容器から全量を取り出し、使用後に再度収容する必要があり、手間がかかり、使い勝手が良くなかった。
本発明の上記の容器入り乳製品、油中水型乳化物、水中油型乳化物では、分割された板状の乳製品、油中水型乳化物、水中油型乳化物が複数個に積層された形態で、紙箱容器に収容されているので、実際に使用する分量だけを蓋部の開口部から取り出すことができ、非常に使い勝手が良い。
【００５３】
また、従来の乳製品、油中水型乳化物、水中油型乳化物では、冷蔵もしくは冷凍で保管していても、使用するたびに、常温の状態に戻し、計量や分割等をして、使い残しの部分を再度、冷蔵もしくは冷凍で保管する使い方をしていた。この場合、使用するたびに、使い残しの部分が、常温の状態となり、衛生上、望ましくない。
一方、本発明の乳製品、油中水型乳化物、水中油型乳化物では、冷蔵もしくは冷凍で保管した後、その直後から使用時に、そのままの状態で使用できる。よって、使い残しの部分も、低温の状態が維持されるので、衛生上の問題は極めて生じにくく、衛生的な保存状態を維持することができる。
【符号の説明】
【００５４】
１    紙箱容器
１０  本体部
１０ａ  開口
１１  底板
１１ａ  第一の底板側縁部
１１ｂ  第二の底板側縁部
１２  第一の内側面板
１３  側面板
１４  第二の内側面板
１６  ヒンジ折目
２１  内側面側スリット（スリット）
２４  舌部
２７  挿通片
４１、７１、７７、７８、８２、８７  内側面板切断線
４６  第二の開封用切断線（外側面板切断線）
４７ａ  切り欠き（被係止部）
５０  蓋部
５１  天板
５２  第一の外側面板
５４  第二の外側面板
Ｒ１  切断領域
Ｒ５  第二の貼り付け領域（貼り付け領域）
Ｒ６  第二の非貼り付け領域（非貼り付け領域）
Ｗ    包装済みバター（収容物）
Ｚ１  向き（第一の立設方向）
Ｚ２  向き（第二の立設方向）
【図１】
2014108826.tif 000003
【図２】
2014108826.tif 000004
【図３】
2014108826.tif 000005
【図４】
2014108826.tif 000006
【図５】
2014108826.tif 000007
【図６】
2014108826.tif 000008
【図７】
2014108826.tif 000009
【図８】
2014108826.tif 000010
【図９】
2014108826.tif 000011
【図１０】
2014108826.tif 000012